(57)【特許請求の範囲】
【請求項１】
液透過性の表面シート、液不透過性の裏面シート、及び前記表面シートと前記裏面シートとの間に配置される吸収体を有する吸収性物品であって、
前記吸収性物品は、長手方向と、前記長手方向に直交する幅方向と、を有し、
前記吸収体は、排泄口当接領域の中心を含む中央領域と、前記中央領域の周囲において前記中央領域と隣接して配置された周囲領域と、を有し、
前記周囲領域の前記吸収体の密度は、前記中央領域の前記吸収体の密度よりも低く、
前記中央領域には、前記吸収体が厚み方向に圧搾された中央圧搾部が設けられており、
前記中央領域の前記吸収体の厚みは前記周囲領域の前記吸収体の厚みよりも薄く、
前記吸収体には、前記周囲領域の周囲を取り囲み、前記周囲領域よりも厚みが薄い薄層領域が設けられており、
前記中央領域及び前記周囲領域の前記吸収体は、前記薄層領域の前記吸収体よりも前記裏面シート側に膨らんでいる、吸収性物品。
【請求項２】
前記中央圧搾部は、前記中央領域において複数設けられている、請求項１に記載の吸収性物品。
【請求項３】
前記中央圧搾部の前記幅方向の長さは、前記中央圧搾部の前記長手方向の長さよりも長い、請求項１又は請求項２に記載の吸収性物品。
【請求項４】
前記周囲領域の外縁には、前記表面シートと前記吸収体とが厚み方向に圧搾された周囲圧搾部が設けられている、請求項１から請求項３のいずれかに記載の吸収性物品。
【請求項５】
前記中央領域及び前記周囲領域は、前記長手方向に延びる楕円形状であり、
前記中央領域の前記長手方向の中心における前記中央領域の前記幅方向の長さを、中央領域中心幅とし、かつ前記中央領域の前記長手方向の中心における前記周囲領域の前記幅方向の長さを、周囲領域中心幅とした場合に、
前記中央領域中心幅は、前記周囲領域中心幅よりも長い、請求項１から請求項４のいずれかに記載の吸収性物品。
【請求項６】
液透過性の表面シート、液不透過性の裏面シート、及び前記表面シートと前記裏面シートとの間に配置される吸収体を有する吸収性物品であって、
前記吸収性物品は、長手方向と、前記長手方向に直交する幅方向と、を有し、
前記吸収体は、排泄口当接領域の中心を含む中央領域と、前記中央領域の周囲において前記中央領域と隣接して配置された周囲領域と、前記周囲領域の周囲に配置され且つ前記周囲領域よりも厚みが薄い薄層領域と、を有しており、
前記周囲領域の前記吸収体の密度は、前記中央領域の前記吸収体の密度よりも低く、
前記中央領域には、前記吸収体が厚み方向に圧搾された中央圧搾部が設けられており、
前記周囲領域の外縁には、前記表面シートと前記吸収体とを厚み方向に圧搾した周囲圧搾部が形成されており、
前記薄層領域には、前記吸収体を厚み方向に圧搾した薄層圧搾部が形成されており、
前記中央圧搾部の前記幅方向の長さは、前記中央圧搾部の前記長手方向の長さよりも長く、
前記薄層領域の前記薄層圧搾部のうち、前記周囲領域に対する長手方向外側に配置された前記薄層圧搾部の前記幅方向の長さは、前記薄層圧搾部の前記長手方向の長さよりも長く、
前記中央領域及び前記周囲領域は、前記長手方向に延びる楕円形状であり、
前記中央領域の前記長手方向の中心における前記中央領域の前記幅方向の長さを、中央領域中心幅とし、かつ前記中央領域の前記長手方向の中心における前記周囲領域の前記幅方向の長さを、周囲領域中心幅とした場合に、前記中央領域中心幅は、前記周囲領域中心幅よりも長く、
前記中央領域の前記吸収体の厚みは前記周囲領域の前記吸収体の厚みよりも薄く、
前記薄層領域は、前記周囲領域の周囲を取り囲んでおり、
前記中央領域及び前記周囲領域の前記吸収体は、前記薄層領域の前記吸収体よりも前記裏面シート側に膨らんでいる、吸収性物品。
【発明の詳細な説明】
【技術分野】
【０００１】
本発明は、生理用ナプキン等の吸収性物品に関する。
【背景技術】
【０００２】
特許文献１には、液透過性の表面シートと、液不透過性の裏面シートと、表面シートと裏面シートとの間に配置される吸収体とを有する吸収性物品としての生理用ナプキンにおいて、表面シートと吸収体とが厚み方向に圧搾された凹部を有する生理用ナプキンが記載されている。この吸収性物品の凹部は、吸収体の全面に亘って複数形成されている。よって、吸収性物品の厚みは、厚み方向に圧搾された凹部が形成されていない吸収性物品よりも薄くなる。したがって、例えば、吸収体の目付を高めて吸収性能を向上させる場合であっても、吸収体の厚みを比較的薄くすることができる。
【先行技術文献】
【特許文献】
【０００３】
【特許文献１】特開２００９−２９１４７３号公報（図１、図４（ｂ）等）
【発明の概要】
【発明が解決しようとする課題】
【０００４】
しかし、上述の吸収性物品には、以下の問題があった。上述の吸収性物品の吸収体は、凹部が形成されることによって密度が高くなるため、吸収体全体の密度が高くなる。よって、吸収体が硬くなり、着用者に対しての肌触りが悪くなり、装着感が悪化することがある。
【０００５】
また、吸収性物品を装着した着用者が両脚を閉じた状態等、吸収性物品の幅方向両外側から内側に向かって力が掛かった場合に、吸収体が硬く曲線状に曲がり難いため、吸収体の幅方向における中央が長手方向に沿って凸状に変形することがある。例えば、比較的厚みが薄い（例えば、３ｍｍ以下）吸収性物品においては、吸収体の幅方向における中央が凸状に変形すると、変形した凸状部分が鋭くなり易い。よって、凸状部分が着用者に当たったときに痛みを感じたり、凸状部分が肌を刺激したりするおそれがあり、装着感が悪化するおそれがある。また、凸状部分が長手方向に沿って形成されると、前後方向において身体の外形に沿って吸収体が曲がり難くなり、フィット性が低下することがある。更に、長手方向に沿った凸状部分に沿って体液が流れてしまうことがあり、体液が拡散したり、液漏れが発生したりするおそれがある。
【０００６】
そこで、本発明は、上述の課題に鑑みてなされたものであり、吸収性能を確保しつつ、フィット性や装着感を向上させることができる吸収性物品を提供することを目的とする。
【課題を解決するための手段】
【０００７】
上述した課題を解決するため、本発明に係る吸収性物品は、液透過性の表面シート（表面シート１０）、液不透過性の裏面シート（裏面シート２０）、及び前記表面シートと前記裏面シートとの間に配置される吸収体（吸収体３０）を有する吸収性物品であって、前記吸収体は、排泄口当接領域の中心を含む中央領域（中央領域Ａ１）と、前記中央領域の周囲において前記中央領域と隣接して配置された周囲領域（周囲領域Ａ２）と、を有し、前記周囲領域の前記吸収体の密度は、前記中央領域の前記吸収体の密度よりも低く、前記中央領域には、前記吸収体が厚み方向に圧搾された中央圧搾部（中央圧搾部６１）が設けられている。
【発明の効果】
【０００８】
本発明に係る吸収性物品は、吸収体の中央領域の周囲に、中央領域よりも密度の低い周囲領域が設けられているため、吸収性物品が幅方向外側から内側に押圧された際に、周囲領域が変形して外力を吸収し、中央領域の変形を少なくすることができる。よって、中央領域を排泄口に対向した状態で維持し易くなる。排泄口が当接し易い吸収体の中央に、周囲領域よりも密度が高い中央領域が配置されているため、中央領域において体液を引き込みやすくなる。更に、中央領域には、中央圧搾部が設けられているため、排泄口近傍に接しやすい吸収体の中央近傍の厚みを薄くすることができ、装着感を向上させることができる。また、周囲領域が変形することにより、密度の高い中央領域の変形を少なくすることができ、比較的硬い中央領域が身体側に折れ曲がることによる装着感の悪化を抑制することができる。
【図面の簡単な説明】
【０００９】
【図１】本発明の第１の実施形態に係る吸収性物品の肌当接面側から見た平面図である。
【図２】図１に示す吸収性物品の背面図である。
【図３】図１に示す吸収体の肌当接面側から見た平面図である。
【図４】図１に示すＡ−Ａ断面の模式断面図である。
【図５】本発明の実施形態に係る吸収性物品の製造方法を説明するための図である。
【図６】図１に示す吸収性物品の製造方法における吸収体成型第２工程を模式的に示した図である。
【図７】図６に示す吸収体成型工程の圧縮ロールの部分拡大断面図である。
【図８】図６に示す吸収性物品の製造方法において成型された吸収体を模式的に示した断面図である。
【図９】第２の実施形態に係る吸収性物品の製造工程における吸収体第２成型工程の圧縮ロールの部分拡大断面図である。
【図１０】図９に示す吸収性物品の製造方法において成型された吸収体を模式的に示した断面図である。
【発明を実施するための形態】
【００１０】
（第１の実施形態）
図１及び図２を参照して、本発明の第１の実施形態に係る吸収性物品について説明する。図１は、吸収性物品の平面図であり、図２は、吸収性物品の背面図である。本実施形態に係る吸収性物品１は、例えば、生理用ナプキンである。
【００１１】
吸収性物品１は、着用者の肌に当接する表面シート１０と、液体を透過しない液不透過性の裏面シート２０と、吸収体３０とを有する。吸収体３０は、表面シート１０と裏面シート２０との間に配設される。従って、吸収体３０は、図１において破線で示される。吸収体３０は、吸収性物品１の長手方向Ｌ及び幅方向Ｗにおける中央部分に配設される。また、吸収性物品１は、図１に示す平面視にて、長手方向Ｌに直交する幅方向Ｗにおいて吸収体３０の外側に設けられるウイング部４３,４４を備える。更に、吸収性物品１は、幅方向Ｗにおいて吸収体３０の外側に設けられるサイドシート４１，４２を備える。
【００１２】
表面シート１０は、体液等の液体を透過する液透過性のシートである。表面シート１０は、少なくとも吸収体３０の表面を覆う。表面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１３】
裏面シート２０は、表面シート１０の長さと略同一の長さを有する。裏面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。裏面シート２０は、着用時の違和感を生じさせない程度の柔軟性を有する材料とすることが好ましい。裏面シート２０は、不透液性且つ透湿性であることが望ましく、例えばポリエチレンやポリプロピレン等のオレフィン系樹脂に無機充填剤を溶融混練したものを延伸処理した微多孔性シートによって構成することができる。
【００１４】
吸収体３０は、親水性繊維、パルプを含む。吸収体３０は、経血などの体液を吸収可能な材料によって形成される。吸収体３０は、親水性繊維又は粉体をエアレイド法によって積層して形成されてもよいし、親水性繊維又は粉体をエアレイド法によってシート状に成形したエアレイドシートでもよいし、ティッシュ（例えば、目付１５ｇ／ｍ２）上に高吸収ポリマーを混入した粉砕パルプを配置し、ティッシュで包むことによって形成されていてもよい。
【００１５】
本実施の形態に係る吸収体３０は、綿状パルプや合成パルプ等を坪量１００〜３００ｇ／ｍ２程度に積層したパルプ８を保護紙（図示せず）で包むことによって構成されている。吸収体３０の幅方向における中央に位置するコア部３１（例えば、図３参照）の厚みは、幅方向における両側部の厚みよりも厚い。吸収体３０は、後述する吸収体第２成型加工前の状態においては、全面ほぼ均一な厚みであってもよいし、非均一な厚みであってもよい。保護紙は、パルプの形状を保持すると共に吸収した体液の拡散を防止するためのものであり、例えばクレープ紙などを用いることができる。
【００１６】
吸収体３０は、前後方向に延びる形状であり、裏面シート２０よりも略一回り程度小さい。吸収体３０の幅方向Ｗの長さは、成人女性の股間隔に対応しており、概ね５０〜８０ｍｍである。吸収体３０は、ホットメルトなどの接着剤によって裏面シート２０に接着される。吸収体３０については、後述にて詳細に説明する。
【００１７】
サイドシート４１，４２は、表面シート１０の両側に配設される。サイドシート４１，４２は、表面シート１０と同様の材料から選ぶことができる。但し、サイドシート４１，４２を乗り越えて吸収性物品１外方へ経血が流れることを防止するためには、疎水性又は撥水性を有することが好ましい。サイドシート４１，４２は、吸収体３０の側縁の一部及びウイング部４３，４４を覆う。
【００１８】
吸収性物品１では、表面シート１０、サイドシート４１，４２、及び裏面シート２０の周縁が接合されて、吸収体３０が内封される。表面シート１０と裏面シート２０との接合方法としては、ヒートエンボス加工、超音波、又はホットメルト型接着剤のいずれか一つ、又は複数を組み合わせることが可能である。
【００１９】
裏面シート２０において、下着と接触する表面には、複数の領域において接着剤５０が塗布されている（図２参照）。接着剤５０は、裏面シート２０の長手方向Ｌに沿って間欠的に配置されている。接着剤５０は、ウイング部４３及びウイング部４４において、下着と接触する表面にも設けられる。使用前の状態では、接着剤５０は、図示しない剥離シートに接しており、剥離シートによって使用前に接着剤が劣化するのを防止している。そして、使用時に着用者によって剥離シートが剥離される。なお、剥離シートを有しない吸収性物品においては、吸収体を個別に包装する包装シートによって使用前に接着剤が劣化するのを防止するように構成されていてもよい。接着剤と包装シートが接する場合には、包装シートの表面には、接着剤の粘着力を低下させることなく接着剤を剥離可能にする処理を施すことが望ましい。
【００２０】
次いで、図３及び図４に基づいて、吸収体３０の構成について詳細に説明する。図３は、図１に示す吸収性物品から表面シート１０、裏面シート２０及びサイドシート４１，４２を外した状態の吸収体３０の肌当接面側からみた平面図である。図４は、図１に示すＡ−Ａ断面の断面図である。吸収体３０は、図３に示す平面視にて、吸収体３０の排泄口当接領域の中心を含む中央領域Ａ１と、中央領域Ａ１の周囲において中央領域Ａ１と隣接して配置された周囲領域Ａ２と、周囲領域Ａ２の周囲において周囲領域に隣接して配置された薄層領域Ａ３とを有する。図３に示す楕円形の２点鎖線は、中央領域Ａ１の外縁を示しており、２点鎖線よりも外側が周囲領域Ａ２となる。図３に示す楕円形の１点鎖線は、周囲領域Ａ２の外縁を示しており、１点鎖線よりも外側が薄層領域Ａ３となる。中央領域Ａ１及び周囲領域Ａ２は、吸収体３０の厚みが厚いコア部３１に対応する領域であり、着用者の排泄口が当接する排泄口当接領域である。
【００２１】
排泄口当接領域の中心とは、着用者の排泄口が当接する領域の長手方向及び幅方向の中心である。例えば、ウイング部を有する吸収性物品においては、ウイング部の長手方向の中心が、排泄口当接領域の長手方向の中心となる。また、ウイング部を有しない吸収性物品においては、吸収体の幅方向の長さ寸法が最も短い位置が、排泄口当接領域の長手方向の中心となる。排泄口当接領域は、着用者の股間部と当接する領域に含まれており、着用者の両脚の間に位置する。中央領域Ａ１は、排泄口当接領域の中心を少なくとも含む領域であればよく、中央領域Ａ１の中心が排泄口当接領域の中心であってもよいし、中央領域Ａ１の中心と排泄口当接領域の中心とがずれていてもよい。
【００２２】
図１及び図４に示すように、周囲領域Ａ２の外縁には、吸収体３０と表面シート１０とが厚み方向Ｔに圧搾された周囲圧搾部６２が形成されている。周囲領域Ａ２の外縁とは、周囲領域Ａ２と薄層領域Ａ３との境界部分であり、境界上のみならず、境界近傍となる内側部分及び外側部分を含む部分である。周囲圧搾部６２は、コア部３１に対応する中央領域Ａ１及び周囲領域Ａ２と、薄層領域Ａ３とを区別するように周囲領域Ａ２を囲むように設けられている。また、周囲圧搾部６２は、コア部の長手方向Ｌにおける外側となる薄層領域Ａ３にも複数設けられている。
【００２３】
中央領域Ａ１は、排泄口当接領域の中心を含むように構成されている。中央領域Ａ１には、吸収体３０を厚み方向Ｔに圧搾した中央圧搾部６１が複数形成されている。中央圧搾部６１は、中央領域Ａ１の全体に亘って複数形成されている。中央領域Ａ１の全体に亘って中央圧搾部６１が設けられていることにより、吸収体３０の厚みを薄い状態で維持し易くなる。
【００２４】
中央圧搾部６１の幅方向Ｗの長さＷ６は、中央圧搾部６１の長手方向Ｌの長さＬ６よりも長い。中央圧搾部６１の幅方向長さＷ６が比較的長く形成されているため、幅方向外側からの力に対する抵抗が大きくなる。よって、吸収性物品１を装着した着用者が両脚を閉じた状態等、吸収性物品１の幅方向両外側から内側に向かって力が掛かった場合に、中央領域Ａ１の変形を抑制することができる。一方、中央圧搾部６１の長手方向長さＬ６は、幅方向長さＷ６よりも短いため、吸収体３０が前後方向に沿って変形し易くなる。したがって、吸収体３０は、前後方向において着用者の身体の外形に沿って曲がり易くなり、吸収性物品のフィット性を向上させることができる。
【００２５】
薄層領域Ａ３には、吸収体３０を厚み方向に圧搾した薄層圧搾部６３が設けられている。薄層圧搾部６３は、薄層領域Ａ３の全体に亘って複数形成されている。薄層領域Ａ３の全体に亘って薄層圧搾部６３が設けられていることにより、薄層領域Ａ３においても吸収体３０の厚みを薄い状態で維持し易くなる。薄層圧搾部６３は、長手方向の長さよりも幅方向の長さが長い第１薄層圧搾部６３Ａと、幅方向の長さよりも長手方向の長さが長い第２薄層圧搾部６３Ｂとを有する。
【００２６】
第１薄層圧搾部６３Ａは、中央圧搾部６１と同じ形状である。第１薄層圧搾部６３Ａは、コア部３１に対する長手方向外側に多数形成されている。よって、吸収体３０の長手方向Ｌにおける両側部において、幅方向外側からの力に対する抵抗を大きくすることができ、幅方向外側から力による変形を抑制することができる。第２薄層圧搾部６３Ｂは、コア部３１に隣接する吸収体３０の幅方向側端部に設けられている。コア部３１に隣接する吸収体３０の幅方向側端部は、着用者の股間部に対応する部分であり、着用者の股の内側部分が当たる部分である。着用者の股の内側部分が当たる部分の吸収体３０の剛性が高すぎると、着用者に対する肌触りが悪くなり、装着感が悪化するおそれがある。しかし、コア部３１に隣接する吸収体３０の幅方向側端部には、第２薄層圧搾部６３Ｂが形成されているため、長手方向に沿って吸収体が変形し易くなり、装着感の悪化を抑制することができる。
【００２７】
なお、中央圧搾部６１及び薄層圧搾部６３は、吸収体３０を厚み方向Ｔに圧搾されて形成されていればよく、種々の構成を採用することができる。例えば、プレス加工やエンボス加工によって形成することができ、その形状は、格子網やハニカム形状であってもよい。また、複数の中央圧搾部６１及び薄層圧搾部６３は、互いに接して配置されていてもよいし、互いに離間して配置されていてもよい。より好ましくは、複数の中央圧搾部６１及び薄層圧搾部６３は、吸収体の厚みを維持すること、折癖を残り難くすること、及びしなやかさを維持することを考慮すると、互いに離間して配置されていることが望ましい。吸収体の中央領域Ａ１及び薄層領域Ａ３に中央圧搾部６１及び薄層圧搾部６３を設けることにより、吸収体全体の厚みを薄くすることができる。したがって、例えば、吸収性能を高めるために吸収体の目付を高くした場合であっても、吸収体の厚みを薄い状態で維持することができる。例えば、本実施の形態に係る吸収体は、厚み３ｍｍ以下の吸収性物品において好適に用いることができる。
【００２８】
図４に示すように、吸収体の厚みは、中央領域Ａ１、周囲領域Ａ２、及び薄層領域Ａ３において各々異なっている。中央領域Ａ１の厚みは、周囲領域Ａ２の厚みよりも薄く、薄層領域Ａ３よりも厚い。具体的には、中央領域Ａ１の厚みは、２．０ｍｍであり、周囲領域Ａ２の厚みは、２．２ｍｍであり、薄層領域Ａ３の厚みは、１．０ｍｍである。また、周囲領域Ａ２と薄層領域Ａ３との間に形成された周囲圧搾部６２の厚みは、０．３ｍｍである。
【００２９】
排泄口に当接し易い中央部分の厚みが周囲領域の厚みよりも薄いため、着用者に吸収体３０の厚みを感じさせ難くすることができ、装着感を向上させることができる。更に、中央領域Ａ１及び周囲領域Ａ２の裏面シート側の面は、薄層領域Ａ３の裏面シート側の面よりも厚み方向外側に位置するように構成されている。中央領域Ａ１及び周囲領域Ａ２となるコア部３１は、薄層領域Ａ３と比べて厚いため、着用者が厚みを感じ易くなることがある。しかし、コア部３１に対応する中央領域Ａ１及び周囲領域Ａ２の吸収体が、薄層領域Ａ３の吸収体よりも裏面シート側に膨らんでいることにより、肌当接面側への膨らみを抑えることができ、表面シート側の見た目をすっきりさせて、着用者に厚みを感じさせ難くすることができる。
【００３０】
なお、吸収体及び吸収性物品の厚みは、例えば、以下の方法で測定することができる。まず、吸収性物品を液体窒素に含浸させて、吸収性物品を凍結させる。次いで、剃刀によって凍結させた吸収性物品を切断した後、切断した吸収性物品を常温に戻して解凍する。そして、切断面における吸収性物品の厚みを電子顕微鏡（キーエンス社製 ＶＥ７８００）によって測定する。
【００３１】
中央領域Ａ１の長手方向Ｌの中心における中央領域Ａ１の幅方向の長さである中央領域中心幅Ｗ１は、中央領域Ａ１の長手方向Ｌの中心における周囲領域Ａ２の幅方向における長さである周囲領域中心幅Ｗ２よりも短くなるように構成されている。中央領域中心幅Ｗ１が周囲領域中心幅Ｗ２よりも長いため、体液を吸収する領域を確保することができ、体液の漏れを抑制することができる。
なお、周囲領域中心幅Ｗ２とは、中央領域Ａ１の長手方向Ｌの中心を通り且つ幅方向Ｗに沿った仮想線上における周囲領域Ａ２の幅である。本実施の形態においては、仮想線上における周囲領域Ａ２は、中央領域Ａ１を挟んで両側方に配置されており、中央領域Ａ１の側方に配置された２つの周囲領域Ａ２の幅を合わせた長さが、中央領域中心幅Ｗ１よりも長くなるように構成されている。
【００３２】
本発明に係る吸収体は、中央領域Ａ１に対する幅方向両側に周囲領域Ａ２が配置されている場合には、少なくとも一方側の周囲領域Ａ２の幅方向における長さが中央領域の幅方向の長さより短く構成されていればよい。しかし、より好ましくは、中央領域Ａ１の幅方向外側に配置された２つの周囲領域Ａ２の幅を合わせた長さが、中央領域Ａ１の幅方向の長さより短く構成されていることが望ましい。中央領域Ａ１の長手方向の長さ及び幅方向の長さが、コア部３１の長手方向の長さ及び幅方向の長さに対して５０％以上であることにより、着用者に対して厚みを感じさせ難くする効果を好適に発揮することができる。また、中央領域Ａ１に対する幅方向の一方側のみに周囲領域Ａ２が配置されている場合には、この周囲領域Ａ２の幅方向における長さが中央領域の幅方向の長さより短く構成されていればよい。
【００３３】
吸収体の密度は、中央領域Ａ１、周囲領域Ａ２、及び薄層領域Ａ３において各々異なっている。周囲領域Ａ２の吸収体３０の密度は、中央領域Ａ１の吸収体の密度よりも低く、薄層領域Ａ３の吸収体の密度よりも低くなるように構成されている。中央領域Ａ１の吸収体の密度は、薄層領域Ａ３の吸収体の密度よりも高い。具体的には、中央領域Ａ１の密度は、０．１３５ｇ／ｃｍ３であり、周囲領域Ａ２の密度は、０．０６８ｇ／ｃｍ３であり、薄層領域Ａ３の密度は、０．１２ｇ／ｃｍ３である。また、周囲圧搾部の密度は、０．４ｇ／ｃｍ３である。
【００３４】
中央領域Ａ１は、周囲領域Ａ２及び薄層領域Ａ３よりも硬く、変形し難く構成されている。一方、中央領域Ａ１の周囲には、中央領域Ａ１及び薄層領域Ａ３よりも密度の低い周囲領域Ａ２が設けられているため、吸収性物品が幅方向外側から内側に押圧された際に、最も剛性が低い周囲領域Ａ２が変形して外力を吸収し、中央領域Ａ１の変形を少なくすることができる。よって、中央領域Ａ１を排泄口に対向する面状の状態で維持し易くなり、排泄口に接する領域を確保し、吸収体の幅方向長さが短くなり過ぎるのを防ぐことができる。また、中央領域の変形を抑制することにより、比較的硬い中央領域Ａ１が身体側に折れ曲がることによる装着感の悪化を抑制することができる。
【００３５】
なお、吸収体及び吸収性物品の硬さは、例えば、ＪＩＳ-１０９６に規定されているガーレー法を用いて測定することができる。また、本実施の形態に係る吸収体３０は、薄層領域Ａ３よりも中央領域Ａ１の密度が高くなるように構成されているが、中央領域Ａ１よりも薄層領域Ａ３の剛性が高くなるように構成されていてもよい。
【００３６】
吸収体の目付は、中央領域Ａ１、周囲領域Ａ２、及び薄層領域Ａ３において各々異なっている。吸収体３０は、吸収体の中央に位置する中央領域Ａ１の目付が最も高くなるように構成されている。周囲領域Ａ２の目付は、薄層領域Ａ３の目付よりも高い。具体的には、中央領域Ａ１の目付は、２７０ｇ／ｃｍ２であり、周囲領域Ａ２の目付は、１５０ｇ／ｃｍ２であり、薄層領域Ａ３の目付は、１２０ｇ／ｃｍ２である。また、周囲圧搾部の目付は、１２０ｇ／ｃｍ２である。排泄口が当接し易い吸収体の中央領域の目付及び密度を高く構成しているため、中央領域Ａ１において体液を引き込み易くすることができる。また、中央領域Ａ１よりも周囲領域Ａ２の吸収体の密度を低く構成しているため、中央領域Ａ１において吸収した液体を粗密勾配の影響で広がることを抑制することができる。
【００３７】
なお、吸収体の目付及び密度は、例えば、以下の測定方法によって測定することができる。包装体によって包装された吸収性物品においては包装体を開封し、折り畳まれた吸収性物品を展開して、目付及び密度を測定する部分の厚み及び面積を測定する。次いで、目付及び密度を測定する部分を吸収性物品から切り出し、切り出した部分の重量を測定する。次いで、切り出した部分から表面シート及び裏面シート等、吸収体以外の部分を取り除き、吸収体の重量を測定する。吸収体の重量と、目付及び密度を測定する部分の面積とに基づいて目付を算出する。目付及び厚みに基づいて、密度を算出する。
【００３８】
次に、図５を参照して、本実施形態に係る吸収性物品１の製造方法の一部について説明する。なお、図５に記載されていない方法については、既存の方法を用いることができる。吸収性物品の製造方法は、図５に示すように、ステップ１０１において、上層生成工程を行う。具体的には、上層生成工程において、表面シート１０とサイドシート４１，４２とを、例えばホットメルト接着剤によって接着する。次いで、ステップ１０２において、吸収体第１成型工程を行う。具体的には、成型ドラムによって吸収体の材料となるパルプを成型して吸収体３０Ａ（図８（ａ）参照）を成型する。
【００３９】
ステップ１０３において、吸収体第２成型工程を行う。具体的には、ステップ１０２において成型された吸収体３０Ａを一対の圧縮ロールによって厚み方向Ｔに圧縮加工し、中央領域Ａ１、周囲領域Ａ２、薄層領域Ａ３を形成するとともに、中央圧搾部６１及び薄層圧搾部６３を形成して、吸収体３０（図８（ｂ）参照）を成型する。なお、ステップ１０１の上層生成工程と、ステップ１０２及びステップ１０３の吸収体第１成型工程及び吸収体第２成型工程との順序は、逆の順序であってもよい。
【００４０】
ステップ１０４において、ステップ１０１において生成した上層と、ステップ１０３において成型した吸収体３０Ｂとを接合する接合工程を行う。ステップ１０５において、圧搾工程を行う。具体的には、吸収体３０Ｂと表面シート１０とを厚み方向に圧縮して、周囲圧搾部６２を形成する。ステップ１０６において、裏面シート接合工程を行う。具体的には、ステップ１０５において周囲圧搾部を形成した吸収体及び表面シートと、裏面シートとを接合する。なお、図５においては、図示しないが、裏面シートを接合した後、接着剤を塗布する工程を備える。
【００４１】
次いで、図６に基づいて、ステップ１０３における吸収体成型第２工程について詳細に説明する。図６は、吸収体の吸収体成型第２工程を模式的に示した斜視図である。図７は、吸収体成型第２工程に用いられる圧縮ロールの断面図である。図７は、図６に示す圧縮ロールの上部ロールと下部ロールとの対向する部分における交差方向に沿い、かつ鉛直方向に沿った断面の断面図である。図８は、吸収体の模式断面図であり、（ａ）は、吸収体成型第２工程前の吸収体を示しており、（ｂ）吸収体成型第２工程後の吸収体を示している。
【００４２】
吸収体成型第２工程は、搬送方向ＭＤに沿って連続して搬送される吸収体３０Ａを、一対の圧縮ロール間を通過させて厚み方向Ｔに圧縮加工する。圧縮ロール１００は、互いに対向して配置された上部ロール１０１と下部ロール１０２とを有する。上部ロール１０１は、搬送される吸収体上に配置される。一方、下部ロール１０２は、搬送される吸収体下に配置される。上部ロール１０１及び下部ロール１０２の外周面には、吸収体３０の外形に沿った型が形成されている。上部ロール１０１には、吸収体３０の中央圧搾部６１と薄層圧搾部６３に対応する位置に、下部ロール側（径方向外側）に突出した圧縮刃１０１ａが形成されている。圧縮刃１０１ａの幅方向における長さＷ１０１ａは、中央領域Ａ１の幅方向における長さＷ１に対応している。下部ロール１０２には、上部ロールから離間する方向（径方向内側）に凹んだ凹み部１０２ａが形成されている。凹み部１０２ａの交差方向における長さＷ１０２ａは、コア部３１の幅方向Ｗにおける長さＷ４（図８（ａ）参照）に対応している。
【００４３】
図８（ｂ）に示すように、吸収体３０Ｂの中央領域Ａ１及び周囲領域Ａ２の裏面シート側の面は、凹み部１０２ａに対応して裏面シート側に膨らんでいる。このように、吸収体３０の一部が裏面シート側に膨らんで形成されていることにより、中央領域と周囲領域の表面シート側の膨らみを減らすことができる。また、コア部３１においては、中央領域Ａ１に対応する部分のみ圧縮刃１０１ａが形成され、周囲領域Ａ２に対応する領域に圧縮刃１０１ａが形成されていないため、中央領域Ａ１のみに中央圧搾部６１を形成し、かつ中央領域Ａ１の厚みを周囲領域Ａ２よりも薄く形成することができる。
【００４４】
（第２の実施形態）
次いで、第２の実施形態に係る吸収性物品について、図９及び図１０を参照して詳細に説明する。第２の実施形態に係る吸収性物品は、第１の実施形態と吸収体の構成が異なるが、その他の構成については同様である。図９は、第２の実施形態に係る吸収性物品の製造方法における吸収体成型第２工程に用いられる圧縮ロールの断面図である。図１０は、第２の実施形態に係る吸収体３２の模式断面図であり、（ａ）は、吸収体成型第２工程前の吸収体３２Ａを示しており、（ｂ）吸収体成型第２工程後の吸収体３２Ｂを示している。
【００４５】
圧縮ロール２００は、互いに対向して配置された上部ロール２０１と下部ロール２０２とを有する。上部ロール２０１は、搬送される吸収体上に配置される。一方、下部ロール２０２は、搬送される吸収体下に配置される。上部ロール２０１及び下部ロール２０２の外周面には、吸収体３０の外形に沿った型が形成されている。上部ロール２０１には、吸収体の全幅にわたって下部ロール側（径方向外側）に突出した圧縮刃２０１ａが形成されている。下部ロール２０２には、上部ロール２０１から離間する方向（径方向内側）に凹んだ凹み部２０２ａが形成されている。凹み部２０２ａの交差方向における長さＷ２０２ａは、コア部３１の幅方向の長さＷ４よりも長い。
【００４６】
図８（ｂ）に示すように、吸収体３２Ｂの凹み部に対応する領域は、裏面シート側に膨らんでいる。コア部３１は、全面に亘って同じ厚みとなるように圧縮されている。コア部３１に対する幅方向外側の吸収体は、吸収体３０Ａの厚みがコア部３１よりも薄いが、コア部３１とともに凹み部２０２ａに接するため、コア部３１と比較して圧縮量が少ない。したがって、コア部３１に対応する領域は、最も密度が高く、中央領域Ａ１となる。中央領域Ａ１に対する幅方向外側であって凹み部２０１ａと接する部分は、中央領域Ａ１よりも密度が低く、周囲領域Ａ２となる。このように構成された吸収体を有する吸収性物品によっても、中央領域Ａ１の周囲に比較的密度が低い周囲領域Ａ２を設けることができるため、幅方向における外側から力がかかった際に周囲領域を変形させて、中央領域の変形を抑制することができる。更に、凹み部の幅方向Ｗにおける長さＷ２０２ａは、コア部３１の幅方向における長さＷ４よりも長いため、製造工程において吸収体の位置が交差方向において多少（例えば、１０ｍｍ程度）ずれた場合であっても、中央領域と周囲領域とを形成することができる。
【００４７】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００４８】
本発明に係る吸収性物品は、生理用ナプキン以外に、パンティライナー（おりものシート）、失禁パッド、使い捨ておむつ等であってもよい。更に、例えば、図面に示した各実施の形態においては、中央圧搾部と薄層圧搾部の形状やサイズを同じとなるように構成したが、中央領域Ａ１と薄層領域Ａ３とにおいて求められる性能の違いに応じて、圧搾部の形状やサイズを異ならせるように構成してもよい。
【００４９】
吸収体は、ポリマーを含むものであってもよいし、含まないものであってもよい。さらに、上記実施の形態における吸収体は、綿状パルプや合成パルプ等の坪量１００〜３００ｇ／ｍ２に積層されて構成されているが、吸収体の坪量は、５０〜４００ｇ／ｍ２の範囲で適宜調節してもよい。また、吸収性物品の裏面シートや吸収体の形状、及びこれらの材料等は、実施の形態に示したものに限られず、例えばサイドシートにギャザーが設けられていてもよい。
【符号の説明】
【００５０】
１…吸収性物品、  １０…表面シート、  ２０…裏面シート、  ３０,３０Ａ,３０Ｂ,３２,３２Ａ、３２Ｂ…吸収体、  ３１…コア部、  ４１,４２…サイドシード、  ４３,４４…ウイング部、  ５０…接着剤、  ６１…中央圧搾部、  ６２…周囲圧搾部、６３…薄層圧搾部、  ７５…粘着テープ、  Ａ１…中央領域、  Ａ２…周囲領域、  Ａ３…薄層領域、  １００,２００…圧縮ロール、  １０１,２０１…上部ロール、  １０１ａ,２０１ａ…圧縮刃、  １０２,２０２…下部ロール、  １０２ａ,２０２ａ…凹み部
【図１】
0005904712.tif 000002
【図２】
0005904712.tif 000003
【図３】
0005904712.tif 000004
【図４】
0005904712.tif 000005
【図５】
0005904712.tif 000006
【図６】
0005904712.tif 000007
【図７】
0005904712.tif 000008
【図８】
0005904712.tif 000009
【図９】
0005904712.tif 000010
【図１０】
0005904712.tif 000011